(57)【要約】【課題】電解槽１１にて生成されアルカリイオン水を、導出管路２０ａ1を通して小容量の容器Ｃ1に注出して小量採取することを基本とするアルカリイオンディスペンサにおいて、これに加えて、大容量の容器Ｃ2に大量のアルカリイオン水を採取可能にする。【解決手段】アルカリイオン水を注出する第１の導出管路２０ａ1に設けた第１の注出バルブＶ1より上流側部位から分岐する第２の導出管路２０ａ2を設けるとともに第２の導出管路２０ａ2に第２の注出バルブＶ2を設け、両注出バルブＶ1，Ｖ2の選択的な開閉により、第２の導出管路２０ａ2を通して、大容量の容器Ｃ2に大量のアルカリイオン水を採取することを可能にする。【選択図】  図３
2006346660.tif 000002
【特許請求の範囲】
【請求項１】
被処理水を処理する処理槽と、同処理槽に被処理水を供給する供給管路および同処理槽にて処理された処理済み水を導出する導出管路を備えるとともに、同導出管路には同導出管路を通して処理済み水を注出する注出バルブを備え、かつ、前記供給管路には前記注出バルブの開成動作に応じて同供給管路を流動する被処理水を検出する流水センサを備え、前記注出バルブの開成時には前記流水センサからの流水検出信号に基づき前記処理槽を処理運転し、かつ、前記注出バルブの閉成時には前記流水センサからの非流水検出信号に基づき前記処理槽の処理運転を停止する形式の処理済み水用ディスペンサであり、当該ディスペンサは、前記導出管路の前記注出バルブの配設部位より上流側の部位に、同導出管路の途中から分岐する第２の導出管路を備えるとともに、同第２の導出管路の先端部には同第２の導出管路を通して処理済み水を注出する第２の注出バルブを備えていることを特徴とする処理済み水用ディスペンサ。
【請求項２】
請求項１に記載の処理済み水用ディスペンサにおいて、前記導出管路は、前記注出バルブの配設部位より上流側の部位に形成されている分岐管部と、同分岐管部の先端部に設けられている閉鎖部材にて閉鎖可能な管継手を備え、前記第２の導出管路は前記導出管路とは別体に形成されていて、前記導出管路の分岐管部に、前記管継手を介して脱着可能に接続されるように構成されていることを特徴とする処理済み水用ディスペンサ。
【請求項３】
請求項１に記載の処理済み水用ディスペンサにおいて、前記処理槽は、被電解水を電解して電解生成水を生成する電解槽であって、生成された電解生成水が、前記導出管路と前記第２の導出管路と通して選択的に注出されるように構成されていることを特徴する処理済み水用ディスペンサ。
【請求項４】
請求項３に記載の処理済み水用ディスペンサにおいて、前記電解槽は有隔膜電解槽であって、前記導出管路および前記第２の導出管路は、前記電解槽にて生成されるいずれか一方の電解生成水の専用導出管路、または、前記電解槽にて生成される両電解生成水を独立して導出する一対の専用導出管路であることを特徴とする処理済み水用ディスペンサ。
【請求項５】
請求項４に記載の処理済み水用ディスペンサにおいて、前記有隔膜電解槽の各電解室に配設されている各電極に印加する電圧の極性を正負反転させる極性切替手段と、同極性切替手段による極性切替えに応じて前記各電解室と前記流出管路との連通を切替える管路切替弁を備え、前記導出管路および前記第２の導出管路には常に同一種類の電解生成水が導出されるように構成されていることを特徴とする処理済み水用ディスペンサ。
【発明の詳細な説明】
【技術分野】
【０００１】
本発明は、処理槽にて処理された処理済み水、例えば電解生成水、麦飯石等で処理された麦飯石水、清浄化された清浄水等を、消費者が持参する容器に注出するための処理済み水用ディスペンサに関する。
【背景技術】
【０００２】
処理済み水用ディスペンサの一形式として、被処理水を処理する処理槽と、同処理槽に被処理水を供給する供給管路および同処理槽にて処理された処理済み水を導出する導出管路を備えるとともに、同導出管路には同導出管路を通して処理済み水を注出する注出バルブを備え、かつ、前記供給管路には前記注出バルブの開成動作に応じて同供給管路を流動する被処理水を検出する流水センサを備え、前記注出バルブの開成時には前記流水センサからの流水検出信号に基づき前記処理槽を処理運転し、かつ、前記注出バルブの閉成時には前記流水センサからの非流水検出信号に基づき前記処理槽の処理運転を停止する形式の処理済み水用ディスペンサがある。当該形式の処理済み水用ディスペンサにおいて、処理槽として電解槽を採用した電解生成水用ディスペンサについては、本出願人は「電解水生成装置」なる名称で特許出願している（特許文献１を参照）。
【特許文献１】特開２００３−８８８６４号公報
【発明の開示】
【発明が解決しようとする課題】
【０００３】
ところで、当該形式の処理済み水用ディスペンサにおいては、上記した特許文献にて提案されている電解水生成装置のごとく、一方または両方の電解生成水を導出する専用の流出管路の先端部に配設した注出バルブは、電解生成水の注出速度（時間当たりの注出流量）が一定に設定されている。通常、消費者は、処理済み水を小さい容器に少量採取することから、当然のことながら、注出バルブとしては時間当たりの注出流量が小さい値のものが採用されている。このため、消費者が大量の処理済み水の採取を望む場合には、大容量の容器の使用が不可能であることから、小容量の容器を必要な数だけ用意して、受け台に容器を載置した状態で処理運転を開始し、当該容器が満タンになった時点で処理運転を一旦停止し、満タンの容器を空の容器に置き換えて、再度、処理運転を開始する手段を採る必要がある。この場合、容器の数が多くなるほど、処理運転の開始および停止の回数を多くしなければならず、使い勝手が良くないとともに、所望量の処理済み水の注出に長時間を要することになる。
【０００４】
近年、人体に摂取する水として、また、食材や食器等に拘わる水として、水道水に代えて、電解生成アルカリ性水（アルカリイオン水）、天然水、麦飯石水、清浄化水等を使用することが多くなる傾向にある。このため、当該形式の処理済み水用ディスペンサにおいても、消費者は処理済み水を大量に採取することを望む場合が多くなる。これに対処するには、上記したように、少量の容器を使用し、処理運転の開始および停止の回数を増やす手段では、大量の処理済み水を採取するには面倒で、かつ、長時間を要することになる。本発明は、かかる問題に対処することにある。
【課題を解決するための手段】
【０００５】
本発明は、処理済み水用ディスペンサに関する。本発明が適用対象とする処理済み水用ディスペンサは、被処理水を処理する処理槽と、同処理槽に被処理水を供給する供給管路および同処理槽にて処理された処理済み水を導出する導出管路を備えるとともに、同導出管路には同導出管路を通して処理済み水を注出する注出バルブを備え、かつ、前記供給管路には前記注出バルブの開成動作に応じて同供給管路を流動する被処理水を検出する流水センサを備え、前記注出バルブの開成時には前記流水センサからの流水検出信号に基づき前記処理槽を処理運転し、かつ、前記注出バルブの閉成時には前記流水センサからの非流水検出信号に基づき前記処理槽の処理運転を停止する形式の処理済み水用ディスペンサである。
【０００６】
しかして、本発明に係る処理済み水用ディスペンサにおいては、前記導出管路の前記注出バルブの配設部位より上流側の部位に、同導出管路の途中から分岐する第２の導出管路を備えるとともに、同第２の導出管路の先端部には同第２の導出管路を通して処理済み水を注出する第２の注出バルブを備えていることを特徴とするものである。
【０００７】
本発明に係る処理済み水用ディスペンサにおいては、前記導出管路を、前記注出バルブの配設部位より上流側の部位に形成されている分岐管部と、同分岐管部の先端部に設けられている閉鎖部材にて閉鎖可能な管継手を備える構成とするとともに、前記第２の導出管路を前記導出管路とは別体に形成して、同第２の導出管路を前記導出管路の分岐管部に、前記管継手を介して脱着可能に接続する構成とすることができる。
【０００８】
また、本発明に係る処理済み水用ディスペンサにおいては、前記処理槽として、被電解水を電解して電解生成水を生成する電解槽を採用して、生成された電解生成水が、前記導出管路と前記第２の導出管路と通して選択的に注出されるように構成することができる。
【０００９】
また、本発明に係る処理済み水用ディスペンサにおいては、前記電解槽として、有隔膜電解槽を採用して、前記導出管路および前記第２の導出管路を、前記電解槽にて生成されるいずれか一方の電解生成水の専用導出管路に構成し、または、前記電解槽にて生成される両電解生成水を独立して導出する一対の専用導出管路に構成することができる。この場合、前記有隔膜電解槽の各電解室に配設されている各電極に対する印加電圧の極性を正負反転させる極性切替手段と、同極性切替手段による極性切替えに応じて前記各電解室と前記流出管路との連通を切替える管路切替弁を設けて、前記導出管路および前記第２の導出管路には常に同一種類の電解生成水が導出されるように構成することができる。
【発明の効果】
【００１０】
本発明に係る処理済み水用ディスペンサにおいて、前記処理槽として各種の処理槽を採用することができる。例えば、有隔膜電解槽や無隔膜電解槽等、被電解水を電解処理する電解槽、水を麦飯石で処理する処理槽、清浄化処理する処理槽等を採用することができ、これらの処理槽にて処理された処理済み水を、前記導出管路（以下第１の導出管路という）および第２の導出管路を通して選択的に注出することができる。この場合、第１の導出管路は、従来と同様に小容量の容器に対する注出を行い、第２の導出管路は、従来とは異なり大容量の容器に対する注出を行うもので、各注出バルブともこのような設定になっている。
【００１１】
このため、消費者は、処理済み水の小容量を小容量の容器に採取することを望む場合には、第１の導出管路に配設されている第１の注出バルブを開成して処理運転を開始し、所望量の処理済み水を採取した時点で第１の注出バルブを閉成して、処理運転を停止する。これにより、消費者は、所望量の処理済み水を小容量の容器に小量採取して、持ち帰ることができる。
【００１２】
一方、消費者は、処理済み水の大容量を大容量の容器に採取することを望む場合には、第２の導出管路に配設されている第２の注出バルブを開成して処理運転を開始し、所望量の処理済み水を採取した時点で第２の注出バルブを閉成して処理運転を停止する。これにより、消費者は、所望量の処理済み水を大容量の容器に大量採取して、持ち帰ることができる。この場合、処理済み水の注出時には、採取すべき容器を取替える必要がないため、処理槽の処理運転の停止および再開を繰返し行う必要がないとともに、大量の所望量の処理済み水を採取しても、従来ほどの長時間を要することはなく、採取時間を大幅に短縮することができる。
【００１３】
このように、本発明に係る処理済み水用ディスペンサによれば、処理済み水を小容量の容器に所望する小量を採取する小量採取と、処理済み水を大容量の容器に所望する大量を採取する大量採取とを、所望に応じて選択的に行うことができ、特に、後者の大量採取では、処理槽の処理運転の停止および再開を頻繁に行うことなく、かつ、従来ほどの長時間を要することはなく短時間に採取できるという大きな利点がある。
【００１４】
このような大きな利点は、各種の処理槽を採用した各処理済み水用ディスペンサにおいて当然得られる効果であるが、処理槽として電解槽を採用すれば、現在、頻繁にかつ大量に利用されている電解生成水、例えば、有隔膜電解槽で生成される一方の電解生成水（例えばアルカリイオン水、酸性イオン水等）、および、無隔膜電解槽で生成される電解生成水（例えば略中性の殺菌機能水）を、処理槽の処理運転の停止および再開を頻繁に行うことなく、かつ、従来ほどの長時間を要することはなく短時間に大量に採取できるという利点がある。さらにまた、電解槽として有隔膜電解槽を採用して、有隔膜電解槽の各電解室に配設されている各電極に対する印加電圧の極性を正負反転させる極性切替手段と、同極性切替手段による極性切替えに応じて各電解室と各流出管路との連通を切替える管路切替弁を備える構成にすれば、電解生成水を大量に採取する場合の電解運転を長時間継続することが可能である。
【００１５】
本発明に係る処理済み水用ディスペンサにおいては、その一形態として、前記導出管路を、前記注出バルブの配設部位より上流側の部位に形成されている分岐管部と、同分岐管部の先端部に設けられている閉鎖部材にて閉鎖可能な管継手を備える構成とするとともに、前記第２の導出管路を前記導出管路とは別体に形成して、同第２の導出管路を前記導出管路の分岐管部に、前記管継手を介して脱着可能に接続する構成とすることができる。かかる構成によれば、この種形式と同様の構成の処理済み水用ディスペンサを構成する導出管路に、第２の導出管路を現地で接続する作業のみにて、当該処理済み用ディスペンサに、処理済み水を大容量の容器に所望する大量を採取する大量採取の機能を付与することできる利点がある。また、当該処理済み水用ディスペンサにおいれは、処理済み水の大量採取の機能をオプションとすることが可能である。
【発明を実施するための最良の形態】
【００１６】
本発明は、処理済み水用ディスペンサに関する。図１（ａ），（ｂ），（ｃ）には、本発明に係る処理済み水用ディスペンサを電解生成水用ディスペンサＤに適用した実施形態を示している。図１（ａ）は、当該電解生成水用ディスペンサＤの正面図、同図（ｂ）は、電解生成水用ディスペンサＤのドアｄ1を開放した状態の正面図、同図（ｃ）は、図１（ｂ）の矢印ｃ−ｃ線に沿って下方に見た平面図である。また、図２には、当該電解生成水用ディスペンサＤを構成する第１の導出管路における分岐管部分の拡大側面を示している。図２（ａ）は、第１の導出管路に第２の導出管路が接続されている状態の当該分岐管部分を示し、図２（ｂ）は、第１の導出管路に第２の導出管路が接続されていない状態の当該分岐管部分を示している。また、図３には、当該電解生成水用ディスペンサを模式的に示している。
【００１７】
当該電解生成水用ディスペンサＤは、ハウジングｄ2内に、有隔膜電解式の電解水生成装置１０を組込まれているものであり、当該電解水生成装置１０を構成する有隔膜電解槽１１にて生成される電解生成水の内、電解生成アルカリ性水（アルカリイオン水）を注出するように構成されている。なお、当該電解生成水ディスペンサＤにおいては、後述するように、アルカリイオン水を導出する第１の導出管路２０ａ1と第２の導出管路２０ａ2を備えていて、第１の導出管路２０ａ1はアルカリイオン水を小容量の容器Ｃ1に注出する管路に設定され、かつ、第２の導出管路２０ａ2はアルカリイオン水を大容量の容器Ｃ2に注出する管路に設定されている。
【００１８】
当該電解生成水用ディスペンサＤは、図３に示すように、有隔膜電解式の電解水生成装置１０と、当該電解水生成装置１０に対する水回路２０と、当該電解水生成装置１０の電解運転を制御する制御装置３０を主体とし、これらはハウジングｄ2内に一体に収容されている。当該電解水生成装置１０を構成する有隔膜電解槽１１は、イオン透過能を有する隔膜１２にて槽本体を区画されて形成された一対の電解室Ｒ1，Ｒ2を備える公知のもので、各電解室Ｒ1，Ｒ2にはそれぞれ電極１３ａ，１３ｂが配設されているものである。
【００１９】
当該電解水生成装置１０においては、有隔膜電解槽１１の各電解室Ｒ1，Ｒ2に被電解水を供給するための供給管路２１が接続されている。供給管路２１は、上流側端部にて水道水源である水道管に接続されていて、下流側端部に設けた分岐管路部にて各電解室Ｒ1，Ｒ2の上流側に接続されている。また、有隔膜電解槽１１の各電解室Ｒ1，Ｒ2の下流側には、それぞれ流出管路２２ａ，２２ｂが接続されている。各流出管路２２ａ，２２ｂは、管路切替弁２３を介して、各導出管路２０ａ1，２０ｂに接続されている。各導出管路２０ａ1，２０ｂのうち、導出管路２０ａ1は、電解生成アルカリ性水（アルカリイオン水）専用の導出管路（第１の導出管路）に設定され、第１の導出管路２０ａ1の途中には、第２の導出管路２０ａ2が接続されている。また、導出管路２０ｂは、電解生成酸性水（酸性イオン水）専用の導出管路に設定されている。なお、電解生成酸性水専用の導出管路を、以下では第３の導出管路２０ｂと称する。
【００２０】
有隔膜電解槽１１の各電解室Ｒ1，Ｒ2に配設されている各電極１３ａ，１３ｂは、制御装置３０により、印加電圧の極性を正負に定期的に切替えられるもので、制御装置３０は、各電極１３ａ，１３ｂの印加電圧の極性切替え時には、管路切替弁２３を同期的に切替え動作させる。管路切替弁２３は、図３に示す状態では、有隔膜電解槽１１の電解室Ｒ1に接続する流出管路２２ａを第１の導出管路２０ａ1に連通させ、かつ、有隔膜電解槽１１の電解室Ｒ2に接続する流出管路２２ｂを第３の導出管路２０ｂに連通させている。この場合、有隔膜電解槽１１における電極１３ａは負極に、かつ、電極１３ｂは正極に印加されていて、電解室Ｒ1は陰極側電解室に、かつ、電解室Ｒ2は陽極側電解室に設定されている。
【００２１】
この状態で、各電極１３ａ，１３ｂに対する印加電圧の極性が切替えられて、電解室Ｒ1が陽極側電解室に、かつ、電解室Ｒ2は陰極側電解室に変更されると、これに同期して管路切替弁２３が切替え動作して、電解室Ｒ1に接続する流出管路２２ａを第２の導出管路２０ｂに連通させ、かつ、電解室Ｒ2に接続する流出管路２２ｂを導出管路２０ａ1に連通させる。各電解室Ｒ1，Ｒ2の極性を変更する手段は、陰極側電解室における炭酸カルシウム等のスケールの発生に対処するもので、これにより、当該電解水生成装置１０での電解効率のよい電解運転を長時間継続することができる。
【００２２】
当該電解水生成装置１０は、水道水を被電解水の原水とするもので、被電解水の供給管路２１には、水道水を軟水化し、濾過し、清浄化するための軟水器２４、フィルタ２５、浄水器２６が介装されているとともに、給水栓２７ａ、減圧弁２７ｂ、注出量を調整する調整バルブ２７ｃ、減圧弁２７ｄ、水回路の水圧逃し弁２７ｅが介装されている。また、浄水器２６を迂回するバイパス管路には、洗浄用水を供給するための電磁式の給水バルブ２７ｆが介装されている。水道水は、以上の水回路を通過中に軟水化され、濾過され、清浄化されて被電解水となり、有隔膜電解槽１１の各電解室Ｒ1，Ｒ2に供給される。被電解水を各電解室Ｒ1，Ｒ2に供給する供給管路２１の分岐管路部には、一対の流水センサＳ1，Ｓ2が介装されている。
【００２３】
しかして、アルカリイオン水を導出する第１の導出管路２０ａ1の先端部は、フィルタＦが取付けられて注出口に形成されており、フィルタＦより上流側には、電磁式の第１注出バルブＶ1が介装されている。また、第１の導出管路２０ａ1の途中から分岐する分岐部には、図２に示すように、管継手２９ｄ1が設けられている。第２の導出管路２０ａ2は、図２（ａ）に示すように、管継手２９ｄ1を介して第１の導出管路２０ａ1の分岐部に接続されている。管継手２９ｄ1は、第２の導出管路２０ａ2が接続されていない状態では、図２（ｂ）に示すように、閉塞栓２９ｄ2が取付けられていて、第１の導出管路２０ａ1の分岐部を閉塞している。第２の導出管路２０ａ2の先端部は注出口に形成されていて、その上流側に手動式の第２注出バルブＶ2が介装されている。
【００２４】
第１の導出管路２０ａ1の先端は、ハウジングｄ2内に設けた容器Ｃ1の受け台ｄ3に対向してその上方に臨んでいる。また、第２の導出管路２０ａ2は、ハウジングｄ2の側部に設けた窓部ｄ4を通して、第１の導出管路２０ａ1の分岐部に設けた管継手２９ｄ1に脱着可能に取付けられていて、その先端は、設置面より所定の高さ上方にて下方に対向している。
【００２５】
なお、酸性イオン水を導出する第３の導出管路２０ｂには、電磁式の排水バルブＶ3が介装されている。また、第１の導出管路２０ａ1の途中には、電解室内に滞留する電解生成水を排水する排水管路２８ａ，２８ｂが接続されていて、各排水管路２８ａ，２８ｂには、電磁式の排水バルブ２９ａ，２９ｂが介装されている。また、第３の導出管路２０ｂの途中には、排水管路２８ｂに接続する排水管路２８ｃが接続されていて、排水管路２８ｃには電磁式の排水バルブ２９ｃが介装されている。
【００２６】
かかる構成の電解生成水用ディスペンサＤにおいては、制御装置３０によって、電解水生成装置１０の電解運転の制御がなされ、電磁式の各バルブの開閉制御を行うことによって、アルカリイオン水が第１の導出管路２０ａ1と第２導出管路２０ａ2から選択的に注出される。制御装置３０は、その制御盤にアルカリイオン水の注出を指示する自動注出スイッチＳＷ1および手動注出スイッチＳＷ2を備えている。
【００２７】
消費者は、採取する容器Ｃ1に応じて、これら両注出スイッチＳＷ1，ＳＷ2の操作を選択する。制御装置３０は、これら両注出スイッチＳＷ1，ＳＷ2のいずれかのスイッチ操作に基づいて電解水生成装置１０の電解運転を開始して、アルカリイオン水の注出を図る。図４には、電解運転および洗浄運転時に各水が水回路２０を流れる流動状態を模式的に示している。なお、制御装置３０の制御盤には、自動注出スイッチＳＷ1および手動注出スイッチＳＷ2の他に、電源スイッチＳＷ3、点検スイッチＳＷ4、洗浄ＳＷ5が配設され、かつ、注出時ランプＬ1および停止時ランプＬ2が配設されている。
【００２８】
消費者は、アルカリイオン水を小容量の容器Ｃ1に採取することを望む場合には、容器Ｃ1をハウジングｄ2内に設けた受け台ｄ3に載置して、制御盤上の自動注出スイッチＳＷ1をスイッチ操作する。これにより、制御装置３０は、第１の導出管路２０ａ1に設けた第１注出バルブＶ1を開成するとともに、第３の導出管路２０ｂに設けた排水バルブＶ3を開成する。このため、原水である水道水が供給管路２１に導入され、軟水器２４、フィルタ２５、および浄水器２６を通って被電解水となり、有隔膜電解槽１１の各電解室Ｒ1，Ｒ2に供給され、被電解水は各電解室Ｒ1，Ｒ2にて電解される。
【００２９】
各電解室Ｒ1，Ｒ2の一方で生成された電解生成アルカリ性水は、アルカリイオン水として第１の導出管路２０ａ1に導入され、第１注出バルブＶ1を通って、フィルタＦ付き注出口から注出されて、小容量の容器Ｃ1に採取される。これに対して、各電解室Ｒ1，Ｒ2の他方で生成された電解生成酸性水は、酸性イオン水として第３の導出管路２０ｂに導入され、第３注出バルブＶ3を通って排水タンクＴに排水される。
【００３０】
当該電解生成水ディスペンサＤにおいては、アルカリイオン水を自動注出する時間を一定時間に設定されていて、制御装置３０は、設定された注出時間が経過した時点で、第１注出バルブＶ1および第３注出バルブＶ3を閉成する。これにより、供給管路２１の各分岐管路部での被電解水の流動が停止され、各流水センサＳ1，Ｓ2は流動の停止状態を検出して、これを制御装置３０に出力する。制御装置３０は、各流水センサＳ1，Ｓ2からの流動停止検出信号に基づいて電解水生成装置１０の電解運転を停止する。
【００３１】
電解水生成装置１０の電解運転中に、第３の導出管路２０ｂの排水バルブＶ3に異常が発生し、または、第３の導出管路２０ｂに管路詰まりが発生した場合には、第３の導出管路２０ｂに連通している供給管路２１の一方の分岐管路部に設けた流水センサＳ2が流動異常を検出して、これを異常検出信号として制御装置３０に出力する。制御装置３０は、この異常検出信号に基づいて排水バルブ２９ｃを開成して、第３の導出管路２０ｂに導入される酸性イオン水を排水管路２８ｃ，２８ｂに導入し、排水管路２８ａを通して排水タンクＴに排水する。これにより、第３の導出管路２０ｂの排水バルブＶ3に異常が発生し、または、第３の導出管路２０ｂに管路詰まりが発生した場合においても、第１の導出管路２０ａ1や第２の導出管路２０ａ2を通して注出されるアルカリイオン水の採取を確保することができる。
【００３２】
なお、排水バルブ２９ｂは、第１注出バルブＶ1および第１の導出管路２０ａ1や、第２注出バルブＶ2および第２の導出管路２０ａ2の異常状態発生時には、排水バルブ２９ｃと同様に動作するものであり、これらの両排水バルブ２９ｂ，２９ｃは、第１の導出管路２０ａ1、第２の導出管路２０ａ2および第３の導出管路２０ｂに発生する異常状態に、逃がし水路を確保すべく機能する。
【００３３】
消費者は、アルカリイオン水を大容量の容器Ｃ2に採取することを望む場合には、第２の導出管路２０ａ2におけるハウジングｄ2の外にある先端部の下方に容器Ｃ2を置き、第２注出バルブＶ2を手動で開成する。これにより、電解水生成装置１０の電解運転が開始されるが、第２の導出管路２０ａ2に連通している供給管路２１の一方の分岐管路部では被電解水が流動するが、第３の導出管路２０ｂに連通している供給管路２１の他方の分岐管路部では被電解水が流動を停止した状態にある。このため、制御装置３０は、流水センサＳ2からの被電解水の異常検出信号を受けて排水バルブ２９ｃを開成して、供給管路２１の他方の分岐管路部と排水管路２８ｂとを連通させて、供給管路２１の他方の分岐管路部での被電解の流動を正常化して電解運転を継続する。
【００３４】
当該電解生成水用ディスペンサＤにおいては、電解運転中、排水バルブ２９ｃは上記した開閉動作を必要により繰り返し行い、消費者が第２注出バルブＶ２を手動で閉成するまで、電解運転を継続する。これにより、消費者は、大容量の容器Ｃ2に、所望量の大量のアルカリイオン水を採取することができる。消費者が第２注出バルブＶ2を手動で閉成すると、制御装置３０は、供給管路２１の各分岐管路部に設けた両流水センサＳ1，Ｓ2からの流動停止信号を受けて、電解水生成装置１０の電解運転を停止する。
【００３５】
このように、当該電解生成水ディスペンサにおいては、従来と同様に、第１の導出管路２０ａ1を通して小容量の容器Ｃ1に、所望する小量のアルカリイオン水を採取することができるとともに、従来とは異なり、第２の導出管路２０ａ2を通して大容量の容器Ｃ2に、所望する大量のアルカリイオン水を採取することができる。特に、アルカリイオン水を大量に採取する後者の場合には、電解運転の停止および再開を頻繁に行うことなく１回の電解運転で、かつ、従来ほどの長時間を要することはなく短時間に採取できるという大きな利点がある。このような大きな利点は、従来のアルカリイオン水の導出管路である第１の導出管路２０ａ1の途中に第２の導出管路２０ａ2を分岐して設けることにより得られる。
【００３６】
当該電解生成水ディスペンサＤにおいては、第２の導出管路２０ａ2を通して大容量の容器Ｃ2に大量のアルカリイオン水を採取する場合の制御では、第１の導出管路２０ａ1を通して小容量の容器Ｃ1にアルカリイオン水を採取する場合に行う本来の制御とは独立した制御にしていることから、第２の導出管路２０ａ2を追加しても、本来の制御に何等の影響を及ぼすことなく、第２の導出管路２０ａ2を通してアルカリイオン水を大容量の容器Ｃ2に採取することが可能となる。このように、当該電解生成水ディスペンサＤにおいては、第２の導出管路２０ａ2を追加しても、本来の制御に何等の影響を及ぼすことがないため、通常は、当該電解生成水ディスペンサＤを、第２の導出管路２０ａ2を取外した状態で販売し、要望に応じて、第２の導出管路２０ａ2をオプションで追加することができる。
【００３７】
なお、当該電解生成水ディスペンサＤにおいては、第２の導出管路２０ａ2を第１の導出管路２０ａ1とは別体に形成して、第２の導出管路２０ａ2を管継手２９ｄ1を介して第１の導出管路２０ａ1の分岐管部に接続するように構成して、アルカリイオン水の大量採取機能を付与しているが、アルカリイオン水の大量採取機能を付与することのみを意図する場合には、第２の導出管路２０ａ2を第１の導出管路２０ａ1に一体に設けるようにすることができる。
【００３８】
なお、当該電解生成水用ディスペンサＤにおいては、水回路２０中のアルカリイオン水が通水する管路を洗浄する洗浄運転を行うことができる。当該洗浄運転は、制御盤に設けた洗浄運転を指示する洗浄スイッチＳＷ5のスイッチ操作にて行うことができる。この場合、制御装置３０は、各電解室Ｒ1，Ｒ2内の各電極１３ａ，１３ｂへ通電することなく、第１注出バルブＶ1、第３注出バルブＶ3、洗浄水の給水バルブ２７ｆを開成する。これにより、被電解水の原水である水道水は給水バルブ２７ｆを通して各電解室Ｒ1，Ｒ2に導入されるとともに、各電解室Ｒ1，Ｒ2から第１の導出管路２０ａ１に導入されるとともに、第３の導出管路２０ｂに導入され、最終的には排水管路に排水される。当該洗浄運転は設定された時間経過した時点で停止される。これにより、アルカリイオン水が通水する管路が洗浄される。
【図面の簡単な説明】
【００３９】
【図１】本発明の一実施形態に係る電解生成水用ディスペンサの正面図（ａ）、同電解生成水用ディスペンサのドアを開放した状態の正面図（ｂ）、同電解生成水用ディスペンサのｃ−ｃ線から下方に見た平面図（ｃ）である。
【図２】同電解生成水用ディスペンサを構成する第１の導出管路の分岐部を拡大して示す側面図であり、同図（ａ）は同分岐部に第２の導出管路が接続されている状態を示し、同図（ｂ）は第２の導出管路が接続されていない状態を示す。
【図３】同電解生成水用ディスペンサの構成を模式的に示す概略構成図である。
【図４】同電解生成水用ディスペンサにおける各水の流水状態を示す水回路図である。
【符号の説明】
【００４０】
Ｄ…電解生成水用ディスペンサ、ｄ1…ドア、ｄ2…ハウジング、ｄ3…容器の受け台、ｄ4…窓部、１０…電解水生成装置、１１…有隔膜電解槽、１２…隔膜、１３ａ，１３ｂ…電極、Ｒ1，Ｒ2…電解室、２０…水回路、２０ａ1…第１の導出管路、２０ａ2…第２の導出管路、２０ｂ…第３の導出管路、２１…供給管路、２２ａ，２２ｂ…流出管路、２３…管路切替弁、２４…軟水器、２５…フィルタ、２６…浄水器、２７ａ…給水栓、２７ｂ…減圧弁、２７ｃ…調整バルブ、２７ｄ…減圧弁、２７ｅ…水圧逃し弁、２７ｆ…給水バルブ、２８ａ，２８ｂ，２８ｃ…排水管路、２９ａ，２９ｂ，２９ｃ…排水バルブ、２９ｄ1…管継手、２９ｄ2…閉塞栓、３０…制御装置、Ｆ…フィルタ、Ｖ1…第１注出バルブ、Ｖ2…第２注出バルブ、Ｖ3…第３注出バルブ、Ｓ1，Ｓ2…流水センサ、ＳＷ1…自動注出スイッチ、ＳＷ2…手動注出スイッチ、ＳＷ3…電源スイッチ、ＳＷ4…点検スイッチ、ＳＷ5…洗浄スイッチ、Ｌ1…注出時ランプ、Ｌ2…停止時ランプ、Ｃ1…小容量の容器、Ｃ2…大容量の容器。
【図１】
2006346660.tif 000003
【図２】
2006346660.tif 000004
【図３】
2006346660.tif 000005
【図４】
2006346660.tif 000006